(57)【要約】【課題】本発明は、光の輪郭がはっきりとし、光が一様に光るインテリア性の高い照明手段を備えた天井扇風機を提供することを目的とするものである。【解決手段】そしてこの目的を達成するために本発明は、天井に固定された連結部１と、この連結部１の下部に本体２を備え、この本体２は、内部に設けられた電動機３と、この電動機３のローター４に水平方向に固定された複数の羽根５と、下部に設けられた本体カバー６とから形成され、この本体カバー６の下部に照明手段７を備え、前記照明手段７は略円環形状の導光体８と光源である発光ダイオード９とから形成され、前記導光体８は略円環形状である円環部８ａと、上部に複数の略三角形状の突起部８ｂとから成り、この突起部８ｂは垂直面８ｃと傾斜面８ｄを備え、前記光源である発光ダイオード９は前記導光体８の上部で前記突起部８ｂの前記垂直面８ｃ近傍に設けたものである。【選択図】図１
2010108804.tif 000002
【特許請求の範囲】
【請求項１】
天井に固定された連結部と、この連結部の下部に本体を備え、この本体は内部に設けられた電動機と、この電動機のローターに水平方向に固定された複数の羽根と、下部に設けられた本体カバーとから形成され、この本体カバーの下部に照明手段を備え、前記照明手段は略円環形状の導光体と光源とから形成され、前記導光体は略円環形状である円環部と、上部に複数の略三角形状の突起部とから成り、この突起部は垂直面と傾斜面を備え、前記光源である発光ダイオードは前記導光体の上部で前記突起部の前記垂直面近傍に設けた天井扇風機。
【請求項２】
導光体の前記突起部の前記垂直面は円周方向において同一方向に設けた請求項１記載の天井扇風機。
【請求項３】
導光体の前記突起部の前記垂直面から前記突起部の前記傾斜面と前記導光体の円環部上面とが交わった交差部分までの水平距離が、前記突起部の前記傾斜面と前記導光体の円環部上面とが交わった交差部分から円環部上面の水平面を介し隣り合った前記突起部の前記垂直面までの水平距離とがほぼ同じである請求項１〜２のいずれかに記載の天井扇風機。
【請求項４】
導光体の前記円環部の内面上部に、中心方向に延びた複数の爪部を設けた請求項１〜３のいずれかに記載の天井扇風機。
【請求項５】
導光体の前記円環部の下面の幅が狭くなるように、前記円環部の内面が外周方向に傾斜した請求項１〜４のいずれかに記載の天井扇風機。
【請求項６】
導光体の前記円環部の下面にシボ処理を施した請求項１〜５のいずれかに記載の天井扇風機。
【請求項７】
光源である前記発光ダイオードの直下に位置する導光体にシボ処理を施した請求項１〜６のいずれかに記載の天井扇風機。
【請求項８】
本体カバー下部の形状は前記導光体の上面と外周面とを覆うように、略円環形状の窪みである円環窪み部を有する請求項１〜５のいずれかに記載の天井扇風機。
【請求項９】
導光体を囲む前記本体カバーの円環窪み部の側面及び下面は白色である請求項５〜８のいずれかに記載の天井扇風機。
【請求項１０】
光源である前記発光ダイオードの上部に設けた基板の下表面は、前記発光ダイオードの上部部分が白色である請求項１〜９のいずれかに記載の天井扇風機。
【発明の詳細な説明】
【技術分野】
【０００１】
本発明は、照明部を備えた天井扇風機に関する。
【背景技術】
【０００２】
従来のこの種の天井扇風機の構成は以下のようになっていた。
【０００３】
以下、その天井扇風機について図８を参照しながら説明する。
【０００４】
すなわち、天井に固定された連結部１０１と、この連結部１０１の下部に本体１０２を備え、この本体１０２は、内部に設けられた電動機１０３と、この電動機１０３に水平方向に固定された複数の羽根１０４と、下部に設けられた照明手段１０５とを備えた構成となっていた。
【０００５】
例えば、これに類似する先行文献は下記特許文献１に記載されている。
【特許文献１】特開２００７−１０７３９３号公報
【発明の開示】
【発明が解決しようとする課題】
【０００６】
上記従来例における課題は、照明手段のインテリア性が低いということであった。
【０００７】
すなわち、従来の物においては、天井扇風機の下面に照明手段を備え、この照明は、昼と夜の両方の照明を兼ねていた。そこで、夜に灯す常夜灯の場合、眩しすぎないように照度を抑えている。そのために、光はぼんやりとして光るので、光の輪郭がぼやけ光が一様に光らない、インテリア性が低いものとなっていた。
【０００８】
そこで本発明は、光の輪郭がはっきりとし、光が一様に光るインテリア性の高い照明手段を備えた天井扇風機を提供することを目的とするものである。
【課題を解決するための手段】
【０００９】
そしてこの目的を達成するために本発明は、天井に固定された連結部と、この連結部の下部に本体を備え、この本体は、内部に設けられた電動機と、この電動機のローターに水平方向に固定された複数の羽根と、下部に設けられた本体カバーとから形成され、この本体カバーの下部に照明手段を備え、前記照明手段は略円環形状の導光体と光源とから形成され、前記導光体は略円環形状である円環部と、上部に複数の略三角形状の突起部とから成り、この突起部は垂直面と傾斜面を備え、前記光源である発光ダイオードは前記導光体の上部で前記突起部の前記垂直面近傍に設け、これにより、初期の目的を達成するものである。
【発明の効果】
【００１０】
以上のように本発明は、天井に固定された連結部と、この連結部の下部に本体を備え、この本体は、内部に設けられた電動機と、この電動機のローターに水平方向に固定された複数の羽根と、下部に設けられた本体カバーとから形成され、この本体カバーの下部に照明手段を備え、前記照明手段は略円環形状の導光体と光源とから形成され、前記導光体は略円環形状である円環部と、上部に複数の略三角形状の突起部とから成り、この突起部は垂直面と傾斜面を備え、前記光源である発光ダイオードは前記導光体の上部で前記突起部の前記垂直面近傍に設け、光の輪郭がはっきりとし、光が一様に光るインテリア性の高い照明手段を備えた天井扇風機を提供することができるものである。
【００１１】
すなわち、照明手段は略円環形状の導光体と光源とから形成され、導光体は略円環形状である円環部と、上部に複数の略三角形状の突起部とから成り、光源である発光ダイオードが導光体の上部で突起部の垂直面近傍に設けられている。
【００１２】
そこで、発光ダイオードが光ることによって導光体も光るものであるが、この導光体への光の伝わり方には主に２経路が存在する。まず、第１の経路は、発光ダイオードの光が発光ダイオードの真下にある導光体の円環部に直接伝わる経路である。次に、第２の経路は、発光ダイオード光が略三角形状の突起部の垂直面から略三角形状の突起部を介し、導光体の円環部に伝わる経路である。
【００１３】
このように、発光ダイオードの光が２種類の経路から導光体の円環部に伝わり円環部の下面全体を光らせるものである。
【００１４】
これらの結果により、光の輪郭がはっきりとし、光が一様に光るインテリア性の高い照明手段を備えた天井扇風機を提供することができるものである。
【発明を実施するための最良の形態】
【００１５】
以下、本実施形態を添付図面を用いて説明する。
【００１６】
（実施の形態１）
図１から図７に示すように、本実施形態の天井扇風機は、天井に固定された連結部１と、この連結部１の下部に本体２を備えている。この本体２は、内部には電動機３を設け、この電動機３のローター４には水平方向に複数の羽根５が固定されている。
【００１７】
また、本体２の下部には本体カバー６が設けられ、この本体カバー６の下部に照明手段７を備えている。
【００１８】
本実施形態における特徴は、照明手段７の構造にある。すなわち、照明手段７は略円環形状の導光体８と、その導光体８を光らせる光源である発光ダイオード９と、その略円環形状の導光体８内面部に設けられた照明カバー１０と外面部に設けられた外装カバー１１から形成されているものである。この照明手段７は光源である発光ダイオード９の光によって導光体８が光るものである。
【００１９】
導光体８は略円環形状である円環部８ａと、その円環部８ａ上部に複数の略三角形状の突起部８ｂとから形成されている。具体的には、略円環形状である円環部８ａの上部に等間隔に４箇所の突起部８ｂを備えている。この突起部８ｂは略三角形状で垂直面８ｃと傾斜面８ｄを備え、この垂直面８ｃは円周方向に対して直交した面であり、傾斜面８ｄは垂直面８ｃの上端と円環部８ａの上部を繋げた面である。つまり、突起部８ｂは、幅は前記円環部８ａと同じであり、高さは前記発光ダイオード９の直径より大きく、円周方向における断面形状が略直角三角形の形状である。なお、円環部８ａの断面形状は外観に合わせて円形や直方形であってもよい、また、導光体８は透明または半透明で、材質は一例としてアクリル樹脂である。
【００２０】
この導光体８が取り付く本体カバー６は、ローター４に複数の羽根５が固定されている電動機３の下部を覆うようなお椀形状で、お椀形状の下部には、導光体８の上面及び外周面を覆うように、略円環形状の窪みである円環窪み部６ａを有する形状である。
【００２１】
光源は発光ダイオード９であり、基板１２の下面で、導光体８の上部で突起部８ｂの垂直面８ｃ近傍に設けられている。つまり、発光ダイオード９の先端部９ａが突起部８ｂの垂直面８ｃに対向した状態で設けられている。なお、基板１２は本体カバー６と導光体８の上部に設けられている。
【００２２】
照明カバー１０は、本体カバー６の下部で略円環形状の導光体８内面部に設けられ、上部が開口した略椀形状である。
【００２３】
このような構成で、発光ダイオード９が光ることによって導光体８も光るものであるが、この導光体８への光の伝わり方には主に２経路存在する。
【００２４】
まず、第１の経路は、発光ダイオード９の光が発光ダイオード９の真下にある導光体８の円環部８ａに直接伝わる経路である。具体的には、発光ダイオード９の主に周面部９ｂから発せられる光が、導光体８である円環部８ａの上面より円環部８ａ内部を広がりながら伝わり、主に発光ダイオード９の真下である円環部８ａの下面である第１の発光面Ｒ１を光らせるものである。
【００２５】
次に、第２の経路は、発光ダイオード９の光が略三角形状の突起部８ｂの垂直面８ｃから略三角形状の突起部８ｂを介し、導光体８の円環部８ａに伝わる経路である。具体的には、発光ダイオード９の主に先端部９ａから発せられる光が、略三角形状の突起部８ｂの垂直面８ｃから略三角形状の突起部８ｂを介し、導光体８の円環部８ａに広がりながら伝わり、円環部８ａの下面を光らせる。入射された光が導光体８の内部を通過する際、導光体８内部から外部に出ようとする光が、全反射する箇所では光は導光体８内部を周っていき、そうでない箇所では光が外に出て来て、その部分を光らせることになる。この両方の現象が導光体８内部で起ることによって、円環部８ａの下面部である第２の発光面Ｒ２を光らせることができる。
【００２６】
これらの第１の発光面Ｒ１と第２の発光面Ｒ２の一部が重なり合い、第１の発光面Ｒ１と第２の発光面Ｒ２が繋がった面として光るものである。
【００２７】
結果として、発光ダイオード９の光が２種類の経路から導光体８の円環部８ａに伝わり円環部８ａの下面全体を一様に光らせることが出来る。
【００２８】
これらの結果により、光の輪郭がはっきりとし、光が一様に光るインテリア性の高い照明手段を提供することができるものである。
【００２９】
また、導光体８の突起部８ｂの垂直面８ｃは円周方向において同一方向に設けたものであるので、発光ダイオード９の光が第２の経路から導光体８の円環部８ａに伝わった光の一部は、更に、導光体８の円環部８ａを同一方向に周るるように伝わることになり、円環部８ａ全体を光らせるので、結果として下面全体を一様に光らせることが出来る。
【００３０】
また、導光体８の突起部８ｂの垂直面８ｃから突起部８ｂの傾斜面８ｄと導光体８の円環部８ａ上面とが交わった交差部分までの水平距離である傾斜部の長さＬ１が、突起部８ｂの傾斜面８ｄと導光体８の円環部８ａ上面とが交わった交差部分から円環部８ａ上面の水平面８ｅを介し隣り合った突起部８ｂの垂直面８ｃまでの水平距離である水平面の長さＬ２とがほぼ同じである。すなわち、導光体８である円環部８ａの上面に略三角形状の突起部８ｂが等間隔で４箇所に設けているので、隣り合った突起部８ｂと突起部８ｂの間には円環部８ａの上面にあたる水平面８ｅが存在する。この水平面８ｅの水平方向の長さと、略三角形状の突起部８ｂの水平方向の長さがほぼ同じであるので、発光ダイオード９の光が第２の経路から導光体８の円環部８ａに伝わり、光の一部が更に、導光体８の円環部８ａを同一方向に伝わる上流側の突起部８ｂの発光ダイオード９の光による第２の発光面と、下流側の突起部８ｂの発光ダイオード９の光による第１の発光面の一部が重なることとなり、円環部８ａの下面全体を一様に光らせることが出来る。なお、４箇所に設けている突起部８ｂの垂直面８ｃから入射させる発光ダイオード９の色は、対角に同色を配置し２色切替にする、また、それを同時に点灯させ光を混合させることでグラデーションにすることもできる。
【００３１】
また、導光体８の円環部８ａの内面上部に、中心方向に延びた複数の平板形状の爪部８ｆを設けたものである。この爪部８ｆの先端には導光体８を成型する場合に必要なゲート部８ｇを備えている。この爪部８ｆは導光体８内部を全反射している光の一部を導光体８外へ放光する箇所になり明るく光る、また、このゲート部８ｇは白色に白化しやすく、発光ダイオード９の光が伝わると他の白化していない部分に比べて明るく光り、導光体８が一様に光らない、または光が減衰し導光体８が一様にひからない原因となる。しかし、導光体８内部を伝わる光は、主に導光体８円環部８ａ外面に沿って反射するが、円環部８ａ内面も一部反射し爪部８ｆを光らせるが、中心方向に延びる爪部を小さく作成することで光らせる部分を抑え、爪部での光の減衰を防ぐ、また、爪部８ｆが本体カバー６に設けられた取付孔６ｂに入り込むことにより、本体カバー６に導光体８が固定されるので、固定されると同時に爪部８ｆの先端にあるゲート部８ｇが本体カバー６と照明カバー１０によって隠れ、白化していない部分に比べて明るく光るゲート部８ｇの白化部分も隠れるので、導光体８を一様に光らせることが出来る。
【００３２】
また、導光体８の円環部８ａの下面の幅が狭くなるように、円環部８ａの内面が外周方向に傾斜したものである。このように円環部８ａの内面が外周方向に傾斜し、円環部８ａの下面の幅が狭くなることにより、導光体８の上部の光源である発光ダイオード９からの光りが突起部８ｂおよび円環部８ａを介して円環部８ａの下面に伝わる場合に、表面積の広い突起部８ｂの垂直面８ｃおよび円環部８ａの上面から入った光が、表面積の狭い円環部８ａの下面に伝わるので、導光体８の下面を一様に光らせることが出来る。
【００３３】
また、導光体８の円環部８ａの下面にシボ処理を施したので、導光体８の他のシボ処理を施していない面に比べて、円環部８ａの下面のシボ処理部分がより光るので、導光体８の下面を一様に光らせることが出来る。
【００３４】
また、発光ダイオード９の周面部９ｂから発せられる光は、直下に位置する導光体８の水平面８ｅから円環部８ａに直接伝わるが、その発光源の先端が強く光るのをぼかすために、発光ダイオード９直下に位置する導光体８の水平面８ｅにシボ処理を施すことで、その強く光る光源を拡散させ導光体８の下面を一様に光らせることが出来る。なお、シボ処理の代わりに発光ダイオード９と導光体８の水平面８ｅの間に光拡散シートを挿入しても同様の効果が得られる。
【００３５】
また、本体カバー６下部の形状は導光体８の上面と外周面とを覆うように、略円環形状の窪みである円環窪み部６ａとを有するものである。
【００３６】
このように、導光体８の外周面を本体カバー６の下部が覆っているので、導光体８の外周面から発する光が本体カバー６下部の円環窪み部６ａで反射し再度、導光体８内に入り導光体８の下面を光らせるので、結果として導光体８の下面を一様に光らせることが出来る。
【００３７】
また、導光体８を囲む本体カバー６の円環窪み部６ａの側面及び下面は白色である。
【００３８】
このように、導光体８の外周面及び内面を覆っている本体カバー６の円環窪み部６ａ側面及び下面が白色である白色部なので、導光体８の上面、外周面及び内面から発する光が本体カバー６の白色部で反射し再度、導光体８内に入り導光体８の下面を光らせるので、結果として導光体８の下面を一様に光らせることが出来る。
【００３９】
また、光源である発光ダイオード９の上部に設けた基板１２の下表面１２ａは、発光ダイオード９の上部部分が白色であるので、発光ダイオード９の周面部の上部から発せられる光が、基板１２が白色である部分で反射し、導光体８内に入り導光体８を光らせるので、より導光体８を一様に光らせることが出来る。
【産業上の利用可能性】
【００４０】
以上のように本発明は、天井に固定された連結部と、この連結部の下部に本体を備え、この本体は、内部に設けられた電動機と、この電動機のローターに水平方向に固定された複数の羽根と、下部に設けられた本体カバーとから形成され、この本体カバーの下部に照明手段を備え、前記照明手段は略円環形状の導光体と光源とから形成され、前記導光体は略円環形状である円環部と、上部に複数の略三角形状の突起部とから成り、この突起部は垂直面と傾斜面を備え、前記光源である発光ダイオードは前記導光体の上部で前記突起部の前記垂直面近傍に設けたものであり、光の輪郭がはっきりとし、光が一様に光るインテリア性の高い照明手段を備えた天井扇風機を提供することができるものである。
【００４１】
すなわち、照明手段は略円環形状の導光体と光源とから形成され、導光体は略円環形状である円環部と、上部に複数の略三角形状の突起部とから成り、光源である発光ダイオードが導光体の上部で突起部の垂直面近傍に設けられている。
【００４２】
そこで、発光ダイオードが光ることによって導光体も光るものであるが、この導光体への光の伝わり方には主に２経路存在する。まず、第１の経路は、発光ダイオードの光が発光ダイオードの真下にある導光体の円環部に直接伝わる経路である。次に、第２の経路は、発光ダイオード光が略三角形状の突起部の垂直面から略三角形状の突起部を介し、導光体の円環部に伝わる経路である。
【００４３】
このように、発光ダイオードの光が２種類の経路から導光体の円環部に伝わり円環部の下面全体を光らせるものである。
【００４４】
これらの結果により、光の輪郭がはっきりとし、光が一様に光るインテリア性の高い照明手段を備えた天井扇風機を提供することができるものである。
【００４５】
従って、家庭用や事務所用などの、天井扇風機として活用が期待されるものである。
【図面の簡単な説明】
【００４６】
【図１】本発明の実施の形態１の天井扇風機の概略断面図
【図２】同、天井扇風機の導光体の外観斜視図
【図３】同、天井扇風機の導光体の展開図
【図４】同、天井扇風機の照明手段の分解斜視図
【図５】同、天井扇風機の照明手段の外観図
【図６】同、天井扇風機の照明手段の要部断面図
【図７】同、天井扇風機の光源を搭載した基板の外観斜視図
【図８】従来の天井扇風機の要部断面図
【符号の説明】
【００４７】
１      連結部
２      本体
３      電動機
４      ローター
５      羽根
６      本体カバー
６ａ    円環窪み部
６ｂ    取付孔
７      照明手段
８      導光体
８ａ    円環部
８ｂ    突起部
８ｃ    垂直面
８ｄ    傾斜面
８ｅ    水平面
８ｆ    爪部
８ｇ    ゲート部
９      発光ダイオード
９ａ    先端部
９ｂ    周面部
１０    照明カバー
１１    外装カバー
１２    基板
１２ａ  下表面
Ｄ      光の周る方向
Ｌ１    傾斜部の長さ
Ｌ２    水平面の長さ
Ｒ１    第１の発光面
Ｒ２    第２の発光面
Ｓ１    導光体のシボ処理範囲（光源直下部）
Ｓ２    導光体のシボ処理範囲（下面部）
【図１】
2010108804.tif 000003
【図２】
2010108804.tif 000004
【図３】
2010108804.tif 000005
【図４】
2010108804.tif 000006
【図５】
2010108804.tif 000007
【図６】
2010108804.tif 000008
【図７】
2010108804.tif 000009
【図８】
2010108804.tif 000010